(57)【要約】      （修正有）【課題】低周波電子治療器において、女性の胸部もしくは下半身の下腹部に羞恥心なく装着できる電子投射用パットの取り付け補助具を提供する。【解決手段】上半身におけるブラジャー３の内面に凹凸部を係合した複数個の面ファスナー４、５を装着し、パットを貼着しようとする部位の面ファスナー５を取り剥がし、別の面ファスナー６が装着された電子投射用パット７をその部位に取り付ける。【選択図】図３
0003219151.tif 000002
【実用新案登録請求の範囲】
【請求項１】
女性用の下着の上部ブラジャーにおいて、該ブラジャーの乳頭部に接する部位を中心とし、左右のそれぞれの乳頭部分を中心に上下、左右に各々複数個の凹凸部を系合して接合したマジックテープを、内側のマジックテープのみをブラジャー本体に接合し、他方のマジックテープは相手方に引っ掛かりによる系合によって固定されたことにより構成される、低周波治療器の電子投射用パットの取り付け補助具。
【考案の詳細な説明】
【技術分野】
【０００１】    本考案は低周波電子治療器におけるパット装着時の補助具に関するものである。
【背景技術】
【０００２】  従来低周波電子治療器により治療を施す場合、所望する身体の２箇所に２枚のパットを貼着し、その２枚のパット間に低周波電子を交信させて治療を行っていた。
【考案の概要】
【考案が解決しようとする課題】
【０００３】  しかしながら治療用のパットを身体の所望する位置に貼着する場合、通常人目がふれる手とか足又は首などにおいて治療者が貼着して固定する場合は、別段問題とならないが、特に女性の乳房、乳頭等の治療や、子宮及びその近辺等の婦人病関係の治療を施す時は、パットの装着において羞恥心等の問題から課題となっていた。
【課題を解決するための手段】
【０００４】  本考案においては前記の点に鑑み成したもので、前もって被治療者が予め指示された部位に、簡単にパットを装着して治療に望めるようにしたものである。【０００５】  被治療者は予め指示された部位にパットを貼着した状態が形成されるように、例えば胸の乳房周辺であればブラジャーの内側に、婦人科的な治療例えば子宮周辺であれば下着の内側に、それぞれ複数個のマジックテープの凹凸組み合わせたものを固着し、被治療者は指示に従いパットを貼るべき、必要な部位の所のマジックテープの凸部分を剥離して、パットの裏面にマジックテープの凸の部分を接合したパットを系合する。
この方法は下半身の下着においても同様である。一連のパット装着は治療院の個室などで行いうることができる。
【考案の効果】
【０００６】  本考案のブラジャーや下着を装着して治療に対応することによってプライベートな部位を他人に見られることなく、又治療者もパット装着に腐心することなくパットの装着を行いうることができるため、この考案によって上記の問題を解決することができる。
【図面の簡単な説明】
【０００７】
【図１】  本考案における身体装着用具のブラジャーにマジックテープを装着した状態を示す概念図である。
【図２】  本考案の身体装着用具のブラジャーにマジックテープを装着した概念図の図１のＡ−Ａ断面図である。
【図３】  図２の断面図の一部に凸型マジックテープウィ装着したパットを取り付けた状態を示す概念図である。
【図４】  パットにマジックテープの凸部を貼着した一部を断面で示した概念図である。
【考案を実施するための形態】
【０００８】  図１に示すようにブラジャー１の内側に左右それぞれ４枚のマジックテープの凹凸を嵌め合わせたもの２を装着する。この装着は凹側をブラジャーに接する面にあたるように取り付ける。凸側はマジックテープの凹凸の系合のみで支持されているように構成する。
【０００９】    パットを取り付ける場合、図２に示すブラジャー本体３に装着したマジックテープの凹側４に系合しているマジックテープ凸側５を剥離して図３示すマジックテープの凸側６を貼着させたパット７を外マジックテープの凹側に接合する。
【００１０】  このパットの貼る位置は被治療者の治療部位によって左右各４か所合計８か所の内治療者が適宜指示を出し其れに基ついて被治療者は個室において装着する。
【００１１】  同様に下半身の装着においてもその装着方法は替わりない。参考例として図５にその取り付け概念図を表示する。
【符号の説明】
【００１２】１  ブラジャーの全体図
２  左右８このマジックテープの装着状態を示す概念図である。
３  ブラジャーの胸に当接する部分を示す。
４  マジックテープの凹部を示す。
５  マジックテープの凸部を示す。
６  パットに装着したマジックテープの凸部を示す。
７  パット
８  低周波電子供給リード線
【図１】
0003219151.tif 000003
【図２】
0003219151.tif 000004
【図３】
0003219151.tif 000005
【図４】
0003219151.tif 000006
【手続補正書】
【提出日】平成30年9月18日(2018.9.18)
【手続補正１】
【補正対象書類名】実用新案登録請求の範囲
【補正対象項目名】全文
【補正方法】変更
【補正の内容】
【実用新案登録請求の範囲】
【請求項１】
女性用のブラジャーにおいて、該ブラジャーの内側の乳頭部の接触部分を中心として、その乳頭部を円の中心部とする円状の面積部分に、その円の中心を扇の中心とする広角が各々約９０度の右上、左上、右下、左下、の４部分の面積部分に合致する、凹、凸部を係合して接合した４枚の面ファスナーをそれぞれ固定し、所望する４枚のうち１枚または複数個の面ファスナーの凸を取り外して、その残った相手側の凹部に低周波治療器の電子照射用パッドの凸部を係合出来うるように構成したブラジャー型の低周波電子治療器用のパット貼着補助具。
【手続補正２】
【補正対象書類名】明細書
【補正対象項目名】全文
【補正方法】変更
【補正の内容】
【考案の詳細な説明】
【技術分野】
【０００１】    本考案波低周波電子治療器におけるパット装着時の補助具に関するものである。
【背景技術】
【０００２】  従来低周波電子治療器により治療を施す場合、所望する身体の２箇所に２枚のパットを貼着し、その２枚のパット間に低周波電子を交信させて治療を行っていた。
【考案の概要】
【考案が解決しようとする課題】
【０００３】  しかしながら治療用のパットを身体の所望する位置に貼着する場合、通常人目がふれる手とか足又は首などにおいて治療者が貼着して固定する場合は、別段問題とならないが、特に女性の乳房、乳頭等の治療や、子宮及びその近辺等の婦人病関係の治療を施す時は、パットの装着において羞恥心等の問題から課題となっていた。
【課題を解決するための手段】
【０００４】  本考案においては前記の点に鑑み成したもので、前もって被治療者が予め指示された部位に、簡単にパットを装着して治療に望めるようにしたものである。【０００５】  被治療者は予め指示された部位にパットを貼着した状態が形成されるように、例えば胸の乳房周辺であればブラジャーの内側に、婦人科的な治療例えば子宮周辺であれば下着の内側に、それぞれ複数個の面ファスナーの凹凸組み合わせたものを固着し、被治療者は指示に従いパットを貼るべき、必要な部位の所の面ファスナーの凸部分を剥離して、パットの裏面に面ファスナーの凸の部分を接合したパットを系合する。
この方法は下半身の下着においても同様である。一連のパット装着は治療院の個室などで行いうることができる。
【考案の効果】
【０００６】  本考案のブラジャーや下着を装着して治療に対応することによってプライベートな部位を他人に見られることなく、又治療者もパット装着に腐心することなくパットの装着を行いうることができるため、この考案によって上記の問題を解決することができる。
【図面の簡単な説明】
【０００７】
【図１】  本考案における身体装着用具のブラジャーに面ファスナーを装着した状態を示す概念図である。
【図２】  本考案の身体装着用具のブラジャーに面ファスナーを装着した概念図の図１のＡ−Ａ断面図である。
【図３】  図２の断面図の一部に凸型面ファスナーを装着したパットを取り付けた状態を示す概念図である。
【図４】  パットに面ファスナーの凸部を貼着した一部を断面で示した概念図である。
【考案を実施するための形態】
【０００８】  図１に示すようにブラジャー１の内側に左右それぞれ４枚の面ファスナーの凹凸を嵌め合わせたもの２を装着する。この装着は凹側をブラジャーに接する面にあたるように取り付ける。凸側は面ファスナーの凹凸の系合のみで支持されているように構成する。
【０００９】  パットを取り付ける場合、図２に示すブラジャー本体３に装着した面ファスナーの凹側４に係合している面ファスナー凸側５を剥離して図３示す面ファスナーの凸側６を貼着させたパット７を該面ファスナーの凹側に接合する。
【００１０】  このパットの貼る位置は被治療者の治療部位によって左右各４か所合計８か所の内治療者が適宜指示を出し其れに基ついて被治療者は個室において装着する。
【００１１】  同様に下半身の装着においてもその装着方法は替わりない。参考例として図５にその取り付け概念図を表示する。
【符号の説明】
【００１２】  １  ブラジャーの全体図
２  左右８この面ファスナーの装着状態を示す概念図である。
３  ブラジャーの胸に当接する部分を示す。
４  面ファスナーの凹部を示す。
５  面ファスナーの凸部を示す。
６  パットに装着した面ファスナーの凸部を示す。
７  パット
８  低周波電子供給リード線